(57)【要約】【課題】釣糸に対する重りのカシメ作業において、バラツキが少なく、外観も良好なカシメ状態を得ることができ、作業者の肉体的負担も軽減することができる重り係止器具を提供する。【解決手段】重り係止器具１０は、貫通孔１１ａに釣糸１２が挿通された紡錘形状の鉛製の重り１１を一対の上型１３と下型１４との間に挟んで加圧変形させることによって重り１１を釣糸１２に係止する器具である。重り係止器具１０は、下型１４を保持するベース部材１５と、ベース部材１５に対しヒンジ部１６を介して起伏可能に軸支されたアーム部材１６と、アーム部材１６の起伏動作に伴い下型１４に形成された凹部１４ａに接近、離隔する凹部１３ａを有する上型１３と、を備えている。下型１４の凹部１４ａ、上型１３の凹部１３ａの内面は、それぞれ紡錘形状の重り１１の外形の一部と相似形状をなしている。【選択図】図１
2012191890.tif 000002
【特許請求の範囲】
【請求項１】
貫通孔に釣糸が挿通された重りを少なくとも一対の上型と下型との間に挟んで加圧変形させることによって前記重りを前記釣糸に係止する重り係止器具であって、前記下型を保持するベース部材と、前記ベース部材に対し起伏可能に軸支されたアーム部材と、前記アーム部材の起伏動作に伴い前記下型に形成された凹部に接近、離隔する凹部を有する上型と、を備えたことを特徴とする重り係止器具。
【請求項２】
前記下型が前記ベース部材に着脱可能及び／または前記上型が前記アーム部材に着脱可能に取り付けられた請求項１記載の重り係止器具。
【請求項３】
前記ベース部材を所定の設置面に固定するための取付部材を当該ベース部材に設けた請求項１または２記載の重り係止具。
【発明の詳細な説明】
【技術分野】
【０００１】
本発明は、サワラなどのトローリング漁法で使用される仕掛け製作において使用される重り係止器具に関する。
【背景技術】
【０００２】
サワラなどのトローリング漁法で使用される仕掛け製作においては、紡錘形状の重りに形成された貫通孔に釣糸を挿通した後、この重りに圧力を加え、重りとともに貫通孔を変形させ、貫通孔の内周面を釣糸の外周面に圧着することによって釣糸に係止する作業、所謂、カシメ作業が行われている。このようなカシメ作業は、従来、ペンチやプライヤなどの加圧機能を有する工具を用いた手作業で行われている。
【０００３】
一方、釣糸を通した重りを所定箇所に挟み、手指の加圧力によって重りを変形させることにより、重りを釣糸に係止する器具が提案されている（例えば、特許文献１，２参照。）。
【先行技術文献】
【特許文献】
【０００４】
【特許文献１】特開２００２−１５０号公報
【特許文献２】特開２００３−１８９７７４号公報
【発明の概要】
【発明が解決しようとする課題】
【０００５】
サワラなどのトローリング漁法で使用される仕掛け製作において、釣糸への重り係止作業は、前述したように、ペンチやプライヤなどの工具を用いた手作業で行われているが、１本の長さが１００ｍ程度の釣糸に対し、約３０ｃｍ間隔で多数の重りを取り付けなければならないので、カシメ作業には、多大な手間と時間を要し、作業者の肉体的負担も大である。
【０００６】
また、手作業によるカシメによって釣糸に係止された重りは、その変形状態が一定ではなく、歪な形状に変形していることがあるので、トローリング漁法において海中から釣糸を引き上げる際に使用される巻き上げ装置の一部、例えば、釣糸を挟んで回転する牽引ローラや巻き取りドラムなどに引っ掛かったり、巻き込まれたりしてトラブルを生じることがある。
【０００７】
さらに、カシメ作業の仕上がり具合は、作業者によってバラつきがあるだけでなく、一人の作業者においても一定ではないので、様々なトラブルの原因となっている。このようなトラブルは特許文献１，２記載の器具を使用しても解決困難である。
【０００８】
本発明が解決しようとする課題は、釣糸に対する重りのカシメ作業において、バラツキが少なく、外観も良好なカシメ状態を得ることができ、作業者の肉体的負担も軽減することができる重り係止器具を提供することにある。
【課題を解決するための手段】
【０００９】
本発明の重り係止器具は、貫通孔に釣糸が挿通された重りを少なくとも一対の上型と下型との間に挟んで加圧変形させることによって前記重りを前記釣糸に係止する重り係止器具であって、前記下型を保持するベース部材と、前記ベース部材に対し起伏可能に軸支されたアーム部材と、前記アーム部材の起伏動作に伴い前記下型に形成された凹部に接近、離隔する凹部を有する上型と、を備えたことを特徴とする。
【００１０】
このような構成とすれば、ベース部材に対してアーム部材を起立させることにより、上型が離隔して露出状態にある下型の凹部に、貫通孔に釣糸が挿通された重りをセットした後、アーム部材を倒伏させて、上型の凹部を、下型の凹部にセットされた重りに当接させ、その状態でさらにアーム部材に倒伏方向の力を加えれば、下型と上型との間に生じる加圧力で重りが変形するのに伴って貫通孔が変形し、重りが釣糸に係止される。この後、アーム部材を起立させれば、上型が下型から離隔するので、釣糸に係止された重りを下型から取り出し、次のカシメ作業を開始することができる。
【００１１】
このように、貫通孔に釣糸が挿通された重りを下型の凹部にセットし、アーム部材を倒伏させて一定の力を加えるだけで、安定したカシメ作業を行うことができるので、バラツキが少なく、外観も良好なカシメ状態を得ることができる。また、アーム部材の倒伏という簡単な操作によってカシメ作業を行うことが可能となるので、作業者の肉体的負担も軽減することができる。
【００１２】
ここで、前記下型が前記ベース部材に着脱可能及び／または前記上型が前記アーム部材に着脱可能に取り付けられた構造とすることもできる。
【００１３】
このような構成とすれば、サイズや形状の異なる凹部が形成された複数種類の下型、上型を用意しておくことにより、サイズや形状の異なる複数種類の重りに対応したカシメ作業を行うことが可能となるので、汎用性が高まる。
【００１４】
さらに、前記ベース部材を所定の設置面に固定するための取付部材を当該ベース部材に設けることもできる。
【００１５】
このような構成とすれば、安定した設置面にベース部材を固定してカシメ作業を行うことができるようになるので、作業性の向上に有効である。
【発明の効果】
【００１６】
釣糸に対する重りのカシメ作業において、バラツキが少なく、外観も良好なカシメ状態を得ることができ、作業者の肉体的負担も軽減することができる重り係止器具を提供することができる。
【図面の簡単な説明】
【００１７】
【図１】本発明の実施形態である重り係止器具を示す斜視図である。
【図２】図１に示す重り係止器具を用いたカシメ作業を示す一部省略斜視図である。
【発明を実施するための形態】
【００１８】
図１，図２に示すように、本実施形態の重り係止器具１０は、貫通孔１１ａに釣糸１２が挿通された紡錘形状の鉛製の重り１１を一対の上型１３と下型１４との間に挟んで加圧変形させることによって重り１１を釣糸１２に係止する器具である。重り係止器具１０は、下型１４を保持するベース部材１５と、ベース部材１５に対しヒンジ部２１を介して起伏可能に軸支されたアーム部材１６と、アーム部材１６の起伏動作に伴い下型１４に形成された凹部１４ａに接近、離隔する凹部１３ａを有する上型１３と、を備えている。下型１４の凹部１４ａ及び上型１３の凹部１３ａの内面はそれぞれ、図２に示す紡錘形状の重り１１の外形の一部（重り１１を貫通孔１１を含む平面で分割したときの片方の部分の外周面）と相似形状をなしている。
【００１９】
下型１４は、ベース部材１５の上面１５ａのヒンジ部２１近くに固定されたブロック材１７にネジ（図示せず）を介して着脱可能に固定され、上型１３は、アーム部材１６のヒンジ部２１近くに取り付けられた断面コ字状の補助部材１８の底面（ベース部材１５の上面１５ａと対向する面）にネジ（図示せず）を介して着脱可能に取り付けられている。また、ブロック材１７自体もベース部材１５にネジ（図示せず）を介して着脱可能に固定されている。
【００２０】
円管状のアーム部材１６の基端側には作業者が手で握ることのできる握持部１６ａが設けられ、アーム材１６の先端部１６ｂとベース部材１５の先端部１５ｂとの間には、ベース部材１５に対しアーム部材１６を起立させる方向に付勢するスプリング１９が取り付けられている。また、ベース部材１５を所定の設置面に固定する際に使用する複数の取付部材２０が当該ベース部材１５の側縁部に設けられている。取付部材２０は、断面Ｌ字状のプレートで形成され、ボルトや釘（図示せず）などの固定具を通すための孔２０ａが開設されている。なお、梃子作用を機能させるため、下型１４及び上型１３は、いずれもアーム部材１６の握持部１６ａ（力点）とヒンジ部２１（支点）との間におけるヒンジ部２１（支点）近くに配置されている。
【００２１】
重り係止器具１０を使用する場合、ベース部材１５に対してアーム部材１６を起立させることにより、図２に示すように、上型１３が離隔して露出状態にある下型１４の凹部１４ａに、貫通孔１１ａに釣糸１２が挿通された重り１１をセットした後、アーム部材１６を倒伏させて、上型１３の凹部１３ａを、下型１４の凹部１４ａにセットされた重りを覆うように当接させ、その状態でさらにアーム部材１６の握持部１６ａに倒伏方向の力を加えると、下型１４と上型１３との間に生じる加圧力で重り１１が変形するのに伴って貫通孔１１ａが変形し、重り１１が釣糸１２に係止される。
【００２２】
この後、アーム部材１６に加えている力を解除すれば、アーム部材１６はスプリング１９の復元力によって起立して、上型１３が下型１４から離隔して、下型１４上の重り１１が露出するので、釣糸１２に係止された重り１１を下型１４の凹部１４ａから取り出し、次のカシメ作業を開始することができる。なお、１個の重り１１に対するカシメ作業はアーム部材１６の倒伏、起立操作を１回行うことによって完了することも可能であるが、アーム部材１６の倒伏、起立操作を１回行うごとに、重り１１を貫通孔１１ａ回りに回転させ、下型１４の凹部１４ａに対する姿勢を変えながら複数回に分けて行うこともできる。
【００２３】
このように、貫通孔１１ａに釣糸１２が挿通された重り１１を下型１４の凹部１４ａにセットし、アーム部材１６を一定位置（例えば、ベース部材１５の上面１５ａに対しアーム部材１６の軸心１６ｃが平行となる位置あるいは所定角度をなす位置）まで倒伏させることにより、一定の加圧力で安定したカシメ作業を行うことができるので、バラツキが少なく、外観も良好なカシメ状態を得ることができる。また、梃子作用を利用したアーム部材１６の倒伏操作によって簡単にカシメ作業を行うことができるので、作業者の肉体的負担も軽減することができる。
【００２４】
重り係止具１０においては、下型１３及び上型１４がそれぞれベース部材１５、アーム部材１６に着脱可能なであるため、予めサイズや形状の異なる凹部が形成された複数種類の下型、上型を用意し、必要に応じて取り換えることにより、サイズや形状の異なる複数種類の重りに対応したカシメ作業を行うことができるので、汎用性に優れている。なお、下型１３及び上型１４とサイズが異なる他の下型、上型と取り換えた場合、アーム部材１６の回動方向の高さ調整はブロック材１７の交換によって行うことができる。
【００２５】
また、重り係止具１０を構成するベース部材１５には、複数の取付部材２０が設けられているため、ボルト若しくは釘などの固定具（図示せず）を取付部材２０の孔２０ａを通して安定した設置面に螺着若しくは打ち込んでベース部材１５を固定すれば、安定した状態でカシメ作業を行うことができるので、作業性が向上する。
【００２６】
なお、本実施形態の重り係止具１０においては、下型１４の凹部１４ａ及び上型１３の凹部１３ａの内面はそれぞれ紡錘形状の重り１１の外形の一部と相似形状をなしているが、本発明はこれに限定するものではないので、カシメ作業の対象となる重りのサイズや形状に応じた凹部を形成することができる。
【産業上の利用可能性】
【００２７】
本発明の重り係止器具は、サワラなどのトローリング漁法で使用される仕掛け製作における重りのカシメ作業用として広く利用することができる。
【符号の説明】
【００２８】
１０  重り係止具
１１  重り
１１ａ  貫通孔
１２  釣糸
１３  上型
１３ａ，１４ａ  凹部
１４  下型
１５  ベース部材
１５ａ  上面
１５ｂ，１６ｂ  先端部
１６  アーム部材
１６ａ  握持部
１６ｃ  軸心
１７  ブロック材
１８  補助部材
１９  スプリング
２０  取付部材
２０ａ  孔
２１  ヒンジ部
【図１】
2012191890.tif 000003
【図２】
2012191890.tif 000004